(57)【要約】【課題】船釣りの際に、棚釣りにも底釣りにも即応できる船釣り用天秤を提供すること。【解決手段】アーム部の一端には道糸止着部を設け、他端にはハリス止着部を設け、両者間に錘止着部を設けて成る魚釣り用天秤において、  前記錘止着部４が、道糸止着部寄りでアーム部１の軸心に対して、その水平部６aで回動自在に及び／又は摺動自在に位置決め垂下される逆Ｌ状の垂下体６と、その垂直部６bの下端リング６cに上下に回動自在に係着される錘案内棒７と、該錘案内棒７の下端に係着される連結手段とから成る。  このほか、前記アーム部１にハリス止着部寄りで錘案内棒７の下端に係着される連結手段を着脱自在に係着する位置決めブロック１０が一体にされて提供される。【選択図】図１
2007110939.tif 000002
【特許請求の範囲】
【請求項１】
アーム部の一端には道糸止着部を設け、他端にはハリス止着部を設け、両者間に錘止着部を設けて成る魚釣り用天秤において、
前記錘止着部が、道糸止着部寄りでアーム部の軸心に対して、その水平部で回動自在に及び／又は摺動自在に位置決め垂下される逆Ｌ状の垂下体と、その垂直部の下端で上下に回動自在に係着される錘案内棒と、該錘案内棒の下端に係着される連結手段とから成る船釣り用天秤。
【請求項２】
前記アーム部にハリス止着部寄りで、錘止着部の錘案内棒の下端に係着される連結手段を着脱自在に係着する位置決めブロックを一体にして成る請求項１記載の船釣り用天秤。
【発明の詳細な説明】
【技術分野】
【０００１】
本発明は、海水魚を釣るために道糸と仕掛け間に取着される天秤に関する。
【背景技術】
【０００２】
天秤のアーム部に錘や撒き餌かごを装着する技術は、特開２００３−７９２９５号公報（特許文献１）や、特開２００４−５７１７０号公報（特許文献２）、特開２００４−２１５５６４号公報（特許文献３）に開示されているが、何れも棚取りの際の錘や撒き餌かごへのハリスの絡み付きを防止するものであり、底釣りなどでの岩盤上の割れ目への錘の噛み込みや嵌まり込みの防止は解決されていない。
【特許文献１】特開２００３−７９２９５号公報
【特許文献２】特開２００４−５７１７０号公報
【特許文献３】特開２００４−２１５５６４号公報
【発明の開示】
【発明が解決しようとする課題】
【０００３】
本発明は、船釣りの際に棚釣りにも底釣りにも即応できる船釣り用天秤の提供をその目的とする。
【課題を解決するための手段】
【０００４】
本発明の請求項１記載の船釣り用天秤は、アーム部の一端に道糸止着部を設け、他端にハリス止着部を設け、両者間に錘止着部を設けて成る魚釣り用天秤において、
前記錘止着部が、道糸止着部寄りでアーム部の軸心に対して、その水平部で回動自在に及び／又は摺動自在に位置決め垂下される逆Ｌ状の垂下体と、その垂直部の下端で上下に回動自在に係着される錘案内棒と、該錘案内棒の下端に係着される連結手段とから成る。
請求項２記載の発明は、請求項１記載の船釣り用天秤において、
前記アーム部にハリス止着部寄りで、錘止着部の錘案内棒の下端に係着される連結手段を着脱自在に係着する位置決めブロックを一体にして成る。
【発明の効果】
【０００５】
本発明は船釣りにおいて、天秤のアーム部に吊下される錘をアーム部と一体に折りたたむことができるから、底釣りの際に錘が岩盤の割れ目にとられることがなく、折りたたみを解放すれば即刻棚釣りに対応でき、しかも、仕掛けを広範な自由度を以て潮流に対応して安定化できる。
【発明を実施するための最良の形態】
【０００６】
錘止着部の錘案内棒の下端に取着される連結手段は、直接アーム部に係着されるものから、アーム部に固定される位置決めブロックを介して係着されるものなどである。この位置決めブロックはその外縁で連結手段を拘束するものから、連結用の小孔を穿孔し、該小孔に連結手段を連係するなどである。
また、アーム部に対する錘止着部の垂下体の取り着けに関しては、アーム部を道糸側とハリス側とに二分して、垂下体を固定した筒体を道糸側のアーム部に回動自在に及び／又は摺動自在に遊嵌し、然る後に道糸側のアーム部とハリス側のアーム部とを接合して一体化するものから、アーム部の道糸止着部寄りに位置決め材（リング等）を接合し、アーム部の道糸止着部の形成前に垂下体を固定した筒体を一端から挿入し、その後に道糸止着部を形成するなどで実施される。
【実施例】
【０００７】
本発明の船釣り用天秤Ａを実施例により説明すると、図１に示すように、所要の曲率で円弧状に湾曲したアーム部１の一端には道糸を止着する道糸止着部としてのより戻し２を設け、他端には各種の仕掛けを止着するハリス止着部としてのより戻し３を設け、より戻し２、３間でより戻し２寄りのアーム部１に設けられる錘止着部４が、アーム部１の一定強度の弾性を有する線材１１の軸心に対して、筒体５を介してその水平部６aで回動自在に位置決め垂下される逆Ｌ状の垂下体６と、その垂直部６bの下端に形成されたリング６cにその上端が上下に回動自在に係着される錘案内棒７と、錘案内棒７の下端に係着される連結手段としてのスナップ８とから成る。
そして底釣りでは、錘９を遊嵌案内した錘案内棒７は、その下端のスナップ８をアーム部１の適宜な位置に固定した位置決めブロック１０の内側でアーム部１の線材１１に係着し、錘９の姿勢をアーム部１に沿わせて錘９を止着する。
【０００８】
したがって、錘９はアーム部１に対してぶら下がり状態でないから、岩盤の割れ目には嵌まり込み難く、根がかりの少ない底釣りを楽しむことができる。
なお、位置決めブロック１０に小孔（図外）を穿孔し、該小孔にスナップ８を係止することもできる。
【０００９】
次に、棚釣りの場合を説明すると、図２に示すように、錘９を遊嵌案内して取り着けた錘案内棒７は、垂下体６のリング６cに垂下された状態となって潮流に対して上下方向と回動方向の緩和で安定した状態で仕掛けを制御できる。
【００１０】
さらに、図３に示した本発明の船釣り用天秤Ｂを説明すると、一定強度の弾性を有する線材１１を所要の曲率で円弧状に湾曲したアーム部１の一端には道糸を止着する道糸止着部としてのより戻し２を設け、他端には各種の仕掛けを止着するハリス止着部としてのより戻し３を設け、より戻し２、３間でより戻し２寄りのアーム部１に設けられる錘止着部４が、アーム部１の線材１１の軸心に対して、筒体５を介してその水平部６aで回動自在に及び摺動自在に位置決め（下方ではブロック１６により、上方では折曲部１７による）垂下される逆Ｌ状の垂下体６と、その垂直部６bの下端に形成したリング６cにその上端が上下に回動自在に係着される錘案内棒７と、その下端に係着される連結手段としてのより戻し１２とから成り、この例では、より戻し１２の下環１３にスナップ８を介して錘９の上端を係着し、より戻し１２の上環１４を接合リング１５で錘案内棒７に係着したものである。なお、錘案内棒７に前記したように錘９を遊嵌案内して係着できることは勿論のこと、錘案内棒７の下端に係着したスナップを介して錘９を吊下できることも勿論である。
【００１１】
そして底釣りの際には、錘９の下端に取着したスナップ（図外）をアーム部１の線材１１に係着してその姿勢を前記したようにアーム部１に沿わせ、岩盤の割れ目への噛合や嵌まり込みが防止される。なお、この場合もスナップを係着するための前記した位置決めブロック１０がアーム部１に一体化されて使用され得ることは勿論である。
また、図３に示した棚釣りの状態では、錘止着部４が垂下体６において錘案内棒７を上下回動自在に係着し、垂下体６はその水平部６a（直接には筒体５において）で線材１１の軸心に対して回動自在に及び矢印方向に摺動自在であるから、潮流の変動に対して広範な自由度で仕掛けを安定化できるため、釣果の上がる船釣りを楽しむことができる。
【産業上の利用可能性】
【００１２】
本発明は船釣りにおいて、天秤を交換しないで棚釣りから底釣りに即変更でき、しかも、広範な自由度を以て潮流に対し仕掛けを安定化できるため、釣りマニアや釣り具業界での需要が期待される。
【図面の簡単な説明】
【００１３】
【図１】本発明に係る船釣り用天秤Ａの底釣りの場合の説明図。
【図２】本発明の船釣り用天秤Ａの棚釣り時の部分説明図。
【図３】本発明に係る船釣り用天秤Ｂの棚釣り時の説明図。
【符号の説明】
【００１４】
１：アーム部
２：より戻し
３：より戻し
４：錘止着部
５：筒体
６a：水平部
６b：垂直部
６c：リング
６：垂下体
７：錘案内棒
８：スナップ
９：錘
１０：位置決めブロック
１１：線材
１２：より戻し
１３：下環
１４：上環
１５：接合リング
１６：ブロック
１７：折曲部
Ａ乃至Ｂ：船釣り用天秤
【図１】
2007110939.tif 000003
【図２】
2007110939.tif 000004
【図３】
2007110939.tif 000005